(57)【特許請求の範囲】
【請求項１】
実装基板と、複数個が実装基板に並設されるとともに、可視光線領域内にある波長の光線のみを発光する半導体発光素子とを備える冷蔵庫内照明装置であって、前記実装基板は熱伝導性の良好な金属基板でもって形成されるとともに前記冷蔵庫の外部に設置された放熱部に接続され、電流が通電される通電端子を導出した前記半導体発光素子は通電端子が前記実装基板に実装されるとともに断熱板が前記実装基板と前記半導体発光素子との間に設けられたことを特徴とする冷蔵庫内照明装置。
【請求項２】
前記半導体発光素子は、連続した前記波長の光線を出力して白色光を発光する白色ＬＥＤでもって形成されたことを特徴とする請求項１記載の冷蔵庫内照明装置。
【発明の詳細な説明】
【０００１】
【発明の属する技術分野】
本発明は、冷蔵庫内で低温で保存された保存物を照射する冷蔵庫内照明装置に関するものである。
【０００２】
【従来の技術】
従来、この種の冷蔵庫内照明装置として、器具本体と、器具本体に装着された蛍光灯、白熱灯、又は電球からなる光源とを備えた構成のものが存在する。さらに詳しくは、光源は可視光線領域、すなわち約３８０ｎｍ（ナノメートル）乃至約７８０ｎｍの波長の光線だけでなく、７８０ｎｍを越えた赤外線領域を含む波長の光線を発光する。
【０００３】
【発明が解決しようとする課題】
上記した従来の冷蔵庫内照明装置では、光源が可視光線領域内にある波長の光線を冷蔵庫内の保存物に照射して、その保存物を確認することができる。
【０００４】
しかしながら、光源が７８０ｎｍを越えた赤外線領域を含む波長の光線を発光するので発熱して、器具本体の温度を上昇させるとともに、照射された保存物表面の温度を上昇させその保存物表面の変色を生じさせて、保存物を長期間にわたって鮮度よく保存できない場合があった。
【０００５】
本発明は、上記問題点に鑑みてなしたもので、その目的とするところは、保存物を長期間にわたって鮮度よく保存できる冷蔵庫内照明装置を提供することにある。
【０００６】
【課題を解決するための手段】
上記した課題を解決するために、請求項１記載のものは、実装基板と、複数個が実装基板に並設されるとともに、可視光線領域内にある波長の光線のみを発光する半導体発光素子とを備える冷蔵庫内照明装置であって、前記実装基板は熱伝導性の良好な金属基板でもって形成されるとともに前記冷蔵庫の外部に設置された放熱部に接続され、電流が通電される通電端子を導出した前記半導体発光素子は通電端子が前記実装基板に実装されるとともに断熱板が前記実装基板と前記半導体発光素子との間に設けられた構成にしてある。
【０００７】
請求項２記載のものは、請求項１記載のものにおいて、前記半導体発光素子は、連続した前記波長の光線を出力して白色光を発光する白色ＬＥＤでもって形成された構成にしてある。
【００１０】
【発明の実施の形態】
本発明の一実施形態を図１乃至図６に基づいて以下に説明する。冷蔵庫内照明装置は実装基板１と、半導体発光素子２と、断熱板３とを有して構成されて、冷蔵庫４の内部に設置される。
【００１１】
実装基板１は、熱伝導性の良好ないわゆる金属基板により、平板状に形成され、金属板１１の一面１１ａがエポキシ等の絶縁性樹脂皮膜でもって被覆され、さらにその絶縁性樹脂皮膜の一面１１ａ側へ銅からなる回路パターン（図示せず）が形成される。
【００１２】
半導体発光素子２は、日亜化学工業株式会社製のいわゆる白色ＬＥＤであり、砲弾状に形成され、蛍光体を含有した集光レンズを有して、青色を発光する発光体が内蔵されるとともに、電流を通電する２本の通電端子２１が導出される。図４に示すように、波長が可視光線領域内、すなわち、約４６０ｎｍで相対発光強度ピークを有する約４２０乃至約７８０ｎｍの光線を発光するとともに、その約４２０乃至約７８０ｎｍにおける光線の波長を連続的に出力して白色光を発光する。つまり、波長が可視光線領域内にある波長の光線のみを発光し、７８０ｎｍを越えた赤外線領域にある波長の光線を発光しない。
【００１３】
また、図５の周囲温度Ｔａと順電圧Ｖｆとの特性、及び図６の周囲温度Ｔａと相対光度との特性に示すように、周囲温度Ｔａが零下３０℃の低温まで低くなっても、順電圧Ｖｆ及び相対光度共その変化が小さく、さらに寿命が一般的に１００，０００時間であり、従って、零下３０℃の低温まで、かつ長期間にわたって安定して使用することができる。
【００１４】
断熱板３は、ウレタン等の樹脂により、平板状に形成され、複数の挿通孔が並設されて、実装基板１と半導体発光素子２との間に設けられる。ここで、半導体発光素子２は通電端子２１が断熱板３の挿通孔に挿通され、実装基板１の回路パターンに半田付けされて実装され、複数個が実装基板１にマトリックス状に並設される。
【００１５】
冷蔵庫４は、箱形内部４１を有した箱形に形成され、開閉扉４２を前面側へ有し、放熱部４３が背面に沿って箱形外部に設置され、その放熱部４３が実装基板１の金属板１１に接続した状態で、半導体発光素子２が箱形内部４１を照射するよう配設され、一般の家庭で使用されて低温で保存物を保存する。
【００１６】
このものの動作を説明する。冷蔵庫４の開閉扉４２が開かれたとき、実装基板１に並設された半導体発光素子２は、従来の蛍光灯と異なって瞬時に点灯し、白色光を発光して冷蔵庫４内の保存物を照射する。このとき、可視光線領域内にある波長の光線のみを発光して赤外線領域の光線を発光しないので、保存物の表面温度を上昇させることなく、かつ演色性が太陽光に近いので保存物の色彩を誤認させることなく照射する。
【００１７】
半導体発光素子２は発光に伴って発生した熱が、２本の通電端子２１を介して実装基板１に、次いでその実装基板１に接続されるとともに冷蔵庫４の外部に設置された放熱部４３に伝導して、効率よく外部に放熱される。このとき、断熱板３が実装基板１と半導体発光素子２との間に設けられたので、実装基板１に伝導した熱が断熱板３によって遮蔽されて、冷蔵庫４の箱形内部４１に再び伝導して戻ることがない。
【００１８】
かかる一実施形態の冷蔵庫内照明装置にあっては、上記したように、可視光線領域内にある波長の光線のみを発光する複数の半導体発光素子２が実装基板１に並設されたから、半導体発光素子２が赤外線領域にある波長の光線を発光せず、したがって、冷蔵庫４の箱形内部４１を照射したとき、保存物の表面温度を上昇させないので保存物表面の変色等を発生させることなく、その保存部を鮮度よく保存することができる。
【００１９】
また、半導体発光素子２が可視光線領域内における連続した波長の光線を出力して、白色光を発光する白色ＬＥＤでもって形成されたから、保存物の色彩を正しく認識させることができる。
【００２０】
また、実装基板１が熱伝導性の良好な金属基板でもって形成されるとともに、冷蔵庫４の外部に設置された放熱部４３に接続されたから、半導体発光素子２で発生した熱が実装基板１、次いで放熱部４３に伝導し効率よく外部に放熱されて、冷蔵庫４の内部温度の上昇を抑制することができる。
【００２１】
また、断熱板３が実装基板１と半導体発光素子２との間に設けられたから、半導体発光素子２からの熱が通電端子２１、実装基板１及び放熱部４３を介して外部に放熱されるとともに、実装基板１に伝導した熱が、断熱板３によって遮蔽されて冷蔵庫４の箱形内部４１に戻らないので、冷蔵庫４の内部温度の上昇をさらに効率よく抑制することができる。
【００２２】
なお、本実施形態では、冷蔵庫内照明装置を一般の家庭で使用される冷蔵庫４の箱形内部４１に設置されたものとしたが、低温で食品を保存するショウケース、又は低温で衣料を保存する衣料ケース等に設置してもよく、限定されない。
【００２３】
また、本実施形態では、半導体発光素子２を連続した波長の光線を出力して白色光を発光する白色ＬＥＤでもって形成したが、図７に示すように、可視光線領域内にある単波長の光線、すなわち青色、緑色、又は赤色を発光する各半導体発光素子でもって形成してもよく、もしくは各半導体発光素子のそれぞれを混合して実装基板１に並設してもよく、限定されない。
【００２４】
また、本実施形態では、実装基板１を熱伝導性の良好な金属基板でもって形成するとともに、冷蔵庫４の外部に設置された放熱部４３に接続したが、半導体発光素子２の個数が少なく発生する熱が問題にならないときは、樹脂からなる樹脂基板でもって形成してもよく、さらには放熱部４３を冷蔵庫４の外部に設置しなくてもよく、限定されない。
【００２５】
【発明の効果】
請求項１記載のものは、実装基板と、複数個が実装基板に並設されるとともに、可視光線領域内にある波長の光線のみを発光する半導体発光素子とを備える冷蔵庫内照明装置であって、前記実装基板は熱伝導性の良好な金属基板でもって形成されるとともに前記冷蔵庫の外部に設置された放熱部に接続され、電流が通電される通電端子を導出した前記半導体発光素子は通電端子が前記実装基板に実装されるとともに断熱板が前記実装基板と前記半導体発光素子との間に設けられたから、半導体発光素子が赤外線領域にある波長の光線を発光せず、したがって、冷蔵庫の内部を照射したとき、保存物の表面温度を上昇させないので保存物表面の変色等を発生させることなく、その保存部を鮮度よく保存することができるとともに半導体発光素子で発生した熱が実装基板、次いで放熱部に伝導し効率よく外部に放熱されて、冷蔵庫の内部温度の上昇を抑制することができ、更には実装基板に伝導した熱が、断熱板によって遮蔽されて冷蔵庫の内部に戻らないので、冷蔵庫の内部温度の上昇をさらに効率よく抑制することができる。
【００２６】
請求項２記載のものは、請求項１記載のものの効果に加えて、半導体発光素子が可視光線領域内における連続した波長の光線を出力して、白色光を発光する白色ＬＥＤでもって形成されたから、保存物の色彩を正しく認識させることができる。
【図面の簡単な説明】
【図１】本発明の一実施形態を示す斜視図である。
【図２】同上の冷蔵庫の前面斜視図である。
【図３】同上の冷蔵庫の背面斜視図である。
【図４】同上の波長と相対発光強度との関係を表す特性図である。
【図５】同上の周囲温度と順電圧との関係を表す特性図である。
【図６】同上の周囲温度と相対光度との関係を表す特性図である。
【図７】同上の単波長を有する半導体発光素子の波長と、相対発光強度との関係を表す特性図である。
【符号の説明】
１      実装基板（金属基板）
２      半導体発光素子
２１    通電端子
３      断熱板
４      冷蔵庫
４３    放熱部
【図１】
0003834969.tif 000002
【図２】
0003834969.tif 000003
【図３】
0003834969.tif 000004
【図４】
0003834969.tif 000005
【図５】
0003834969.tif 000006
【図６】
0003834969.tif 000007
【図７】
0003834969.tif 000008